(57)【要約】【課題】価格低下を図るとともに、特に単層ＦＰＣの設計自由度を高めることができるフレキシブルプリント回路基板及び光ピックアップ装置を提供すること。【解決手段】回路を形成する導電パターンと、前記導電パターンの一方の面を覆うカバーレイフィルムと、前記導電パターンの他方の面を覆うベースフィルムとから基板が構成され、前記基板の一方の面に電子部品が装着され、前記基板は、第１の基板部と第２の基板部とが対向するように折り畳まれ、前記第１の基板部と前記第２の基板部との間に導電性を有する板金を設けたことを特徴とするフレキシブルプリント回路基板。【選択図】        図１
2005277169.tif 000002
【特許請求の範囲】
【請求項１】
回路を形成する導電パターンと、前記導電パターンの一方の面を覆うカバーレイフィル
ムと、前記導電パターンの他方の面を覆うベースフィルムとから基板が構成され、前記基
板の一方の面に電子部品が装着され、前記基板は、第１の基板部と第２の基板部とが対向
するように折り畳まれ、前記第１の基板部と前記第２の基板部との間に導電性を有する板
金を設けたことを特徴とするフレキシブルプリント回路基板。
【請求項２】
前記第１の基板部又は前記第２の基板部には孔が形成され、前記板金には立ち壁部が立
設され、前記孔に前記立ち壁部を貫通させ、貫通させた前記立ち壁部を前記基板の前記導
電パターンに電気的に接続したことを特徴とする請求項１に記載のフレキシブルプリント
回路基板。
【請求項３】
前記第１の基板部及び前記第２の基板部に孔を設け、前記板金の両面に前記立ち壁部を
立設したことを特徴とする請求項２に記載のフレキシブルプリント回路基板。
【請求項４】
前記立ち壁部を電気的に接続する前記導電パターンをグラウンドとしたことを特徴とす
る請求項２に記載のフレキシブルプリント回路基板。
【請求項５】
前記基板として、前記導電パターンが単層の基板を用いたことを特徴とする請求項１に
記載のフレキシブルプリント回路基板。
【請求項６】
メディアにレーザーを照射し、前記メディアからの戻り光を受光して電気信号に変換す
るレーザーダイオードユニットと、ドライブからレーザー発光パターンの信号を受けてレ
ーザーを発光させるための駆動電流を前記レーザーダイオードユニットに供給するレーザ
ー駆動部品と、ピックアップ上の対物レンズを、回転する前記メディアの面ぶれや偏心に
追従させるための駆動機構を有する対物レンズアクチュエータと、前記メディアに照射す
るレーザー光量を制御するために前記メディアのレーザー光量をモニターするフロントモ
ニタと、前記ピックアップ、前記レーザーダイオードユニット、前記レーザー駆動部品、
前記対物レンズアクチュエータ、及び前記フロントモニタへの電源供給を行い、前記メデ
ィアから読みとられた電気信号を前記ドライブに伝達するコネクタとを備え、
回路を形成する導電パターンと、前記導電パターンの一方の面を覆うカバーレイフィルム
と、前記導電パターンの他方の面を覆うベースフィルムとから基板が構成され、前記基板
の一方の面に、前記レーザーダイオードユニット、前記レーザー駆動部品、及び前記コネ
クタが装着され、前記基板は、第１の基板部と第２の基板部とが対向するように折り畳ま
れ、前記第１の基板部と前記第２の基板部との間に導電性を有する板金を設けたことを特
徴とする光ピックアップ装置。
【請求項７】
前記対物レンズアクチュエータを載置するピックアップ基台を有し、前記ピックアップ
基台と前記板金との間でシールド空間を形成し、前記シールド空間に位置する前記基板に
、前記レーザー駆動部品を装着することを特徴とする請求項６に記載の光ピックアップ装
置。
【請求項８】
前記第１の基板部及び前記第２の基板部のいずれかと折曲部を介して連接しているその
他の基板部を有し、前記第１の基板部に前記コネクタを装着し、前記第２の基板部に前記
レーザー駆動部品を装着し、その他の前記基板部に前記レーザーダイオードユニットを装
着したことを特徴とする請求項６に記載の光ピックアップ装置。
【発明の詳細な説明】
【技術分野】
【０００１】
本発明は、コンパクトディスクなどのディスク状の記録媒体への記録、または再生を行
うディスク装置に用いられる光ピックアップ装置、及び特にこの光ピックアップ装置に適
したフレキシブルプリント回路基板に関する。
【背景技術】
【０００２】
デジタルビデオディスクなどのメディアに記録が可能な記録型ドライブは、需要が急増
する反面、価格は急速な下落傾向にあり、ドライブに搭載される光ピックアップも大幅な
コストダウンを迫られている。
光ディスクドライブには、メディアから光学的にデータを読み取り、電気信号に変換す
るために、光ピックアップが搭載されている。記録型ドライブ用ピックアップは、データ
読みとり機能に加え、メディアに高出力レーザーを照射してデータを書き込む機能を持つ
重要な基幹デバイスである。
一般には、光ピックアップに搭載される回路基板には、折り曲げが可能なフレキシブル
回路基板（ＦＰＣ）が多用される。ＦＰＣは回路を形成する銅箔が１層の単層ＦＰＣと、
２層以上の銅箔で構成される多層ＦＰＣがあるが、記録型ＤＶＤドライブに搭載されるピ
ックアップは、高い電気的性能が必要なため、設計自由度が高く回路面積が大きい多層Ｆ
ＰＣが通常使用されている。
【発明の開示】
【発明が解決しようとする課題】
【０００３】
しかしながら、多層ＦＰＣは単層ＦＰＣより高価で、ピックアップのコストアップにつ
ながる。ドライブの価格低下により、今後ピックアップも大幅なコストダウンが要求され
ている。しかしながら単層ＦＰＣでは、自由な回路設計が困難で、導体パターン面積が限
られるためにグラウンドの容量不足など、記録型ピックアップとしての電気的性能を満た
すことが困難である。また、ピックアップの生産能力は、ドライブの生産能力に直結する
ため、ピックアップ設計においては、生産能力向上のために「作りやすさ」を十分考慮す
る必要がある。
【０００４】
そこで本発明は、価格低下を図るとともに、特に単層ＦＰＣの設計自由度を高めること
ができるフレキシブルプリント回路基板及び光ピックアップ装置を提供することを目的と
する。
【課題を解決するための手段】
【０００５】
請求項１記載の本発明のフレキシブルプリント回路基板は、回路を形成する導電パター
ンと、前記導電パターンの一方の面を覆うカバーレイフィルムと、前記導電パターンの他
方の面を覆うベースフィルムとから基板が構成され、前記基板の一方の面に電子部品が装
着され、前記基板は、第１の基板部と第２の基板部とが対向するように折り畳まれ、前記
第１の基板部と前記第２の基板部との間に導電性を有する板金を設けたことを特徴とする
。
請求項２記載の本発明は、請求項１に記載のフレキシブルプリント回路基板において、
前記第１の基板部又は前記第２の基板部には孔が形成され、前記板金には立ち壁部が立設
され、前記孔に前記立ち壁部を貫通させ、貫通させた前記立ち壁部を前記基板の前記導電
パターンに電気的に接続したことを特徴とする。
請求項３記載の本発明は、請求項２に記載のフレキシブルプリント回路基板において、
前記第１の基板部及び前記第２の基板部に孔を設け、前記板金の両面に前記立ち壁部を立
設したことを特徴とする。
請求項４記載の本発明は、請求項２に記載のフレキシブルプリント回路基板において、
前記立ち壁部を電気的に接続する前記導電パターンをグラウンドとしたことを特徴とする
。
請求項５記載の本発明は、請求項１に記載のフレキシブルプリント回路基板において、
前記基板として、前記導電パターンが単層の基板を用いたことを特徴とする。
請求項６記載の本発明の光ピックアップ装置は、メディアにレーザーを照射し、前記メ
ディアからの戻り光を受光して電気信号に変換するレーザーダイオードユニットと、ドラ
イブからレーザー発光パターンの信号を受けてレーザーを発光させるための駆動電流を前
記レーザーダイオードユニットに供給するレーザー駆動部品と、ピックアップ上の対物レ
ンズを、回転する前記メディアの面ぶれや偏心に追従させるための駆動機構を有する対物
レンズアクチュエータと、前記メディアに照射するレーザー光量を制御するために前記メ
ディアのレーザー光量をモニターするフロントモニタと、前記ピックアップ、前記レーザ
ーダイオードユニット、前記レーザー駆動部品、前記対物レンズアクチュエータ、及び前
記フロントモニタへの電源供給を行い、前記メディアから読みとられた電気信号を前記ド
ライブに伝達するコネクタとを備え、回路を形成する導電パターンと、前記導電パターン
の一方の面を覆うカバーレイフィルムと、前記導電パターンの他方の面を覆うベースフィ
ルムとから基板が構成され、前記基板の一方の面に、前記レーザーダイオードユニット、
前記レーザー駆動部品、及び前記コネクタが装着され、前記基板は、第１の基板部と第２
の基板部とが対向するように折り畳まれ、前記第１の基板部と前記第２の基板部との間に
導電性を有する板金を設けたことを特徴とする。
請求項７記載の本発明は、請求項６に記載の光ピックアップ装置において、前記対物レ
ンズアクチュエータを載置するピックアップ基台を有し、前記ピックアップ基台と前記板
金との間でシールド空間を形成し、前記シールド空間に位置する前記基板に、前記レーザ
ー駆動部品を装着することを特徴とする。
請求項８記載の本発明は、請求項６に記載の光ピックアップ装置において、前記第１の
基板部及び前記第２の基板部のいずれかと折曲部を介して連接しているその他の基板部を
有し、前記第１の基板部に前記コネクタを装着し、前記第２の基板部に前記レーザー駆動
部品を装着し、その他の前記基板部に前記レーザーダイオードユニットを装着したことを
特徴とする。
【発明の効果】
【０００６】
本発明によれば、折り畳んだ基板部間のパターン干渉を板金によって防ぐことができる
。また、立ち壁部をスルーホールとし、板金を一つの導電パターンとして利用することで
、導電パターンの設計自由度が増し、単層ＦＰＣを有効に利用することができる。
【発明を実施するための最良の形態】
【０００７】
本発明の第１の実施の形態によるフレキシブルプリント回路基板は、第１の基板部と第
２の基板部とが対向するように折り畳まれ、第１の基板部と第２の基板部との間に導電性
を有する板金を設けたものである。本実施の形態によれば、折り畳んだ第１の基板部と第
２の基板部のパターン干渉を板金によって防ぐことができる。また、第１の基板部のパタ
ーンと板金との間、第２の基板部のパターンと板金との間でそれぞれ静電結合を成し、パ
ターン上の高周波ノイズを板金ににがすことができる。なお、ここでの高周波は３００Ｍ
Ｈｚ付近以上の周波数を指す。
本発明の第２の実施の形態は、第１の実施の形態によるフレキシブルプリント回路基板
において、基板部の孔に板金の立ち壁部を貫通させ、貫通させた立ち壁部を基板の導電パ
ターンに電気的に接続したものである。本実施の形態によれば、立ち壁部をスルーホール
とし、板金を一つの導電パターンとして利用できる。
本発明の第３の実施の形態は、第２の実施の形態によるフレキシブルプリント回路基板
において、第１の基板部及び第２の基板部に孔を設け、板金の両面に立ち壁部を立設した
ものである。本実施の形態によれば、第１の基板部の孔に貫通させた立ち壁部と第２の基
板部の孔に貫通させた立ち壁部とに板金を導電パターンとして電気的に接続するため、平
面的には遠距離にある立ち壁部（スルーホール）を容易に接続することができる。
本発明の第４の実施の形態は、第２の実施の形態によるフレキシブルプリント回路基板
において、立ち壁部を電気的に接続する導電パターンをグラウンドとしたものである。本
実施の形態によれば、第１の基板部と第２の基板部との間に挟んだ板金全体をグラウンド
とすることができ、広大なグラウンドを確保できる。そして、広大なグラウンドの存在に
よって、グラウンドのインピーダンスを下げ、ノイズ対策や不要輻射対策を有効に行うこ
とができるとともに、グラウンド容量不足を解消でき、更にグラウンドへの接続も容易に
行うことができる。
本発明の第５の実施の形態は、第１の実施の形態によるフレキシブルプリント回路基板
において、基板として、導電パターンが単層の基板を用いたものである。本実施の形態に
よれば、価格の安い単層のＦＰＣを、実質的に三層ＦＰＣとして利用することができる。
本発明の第６の実施の形態による光ピックアップ装置は、基板の一方の面に、レーザー
ダイオードユニット、レーザー駆動部品、及びコネクタが装着され、基板は、第１の基板
部と第２の基板部とが対向するように折り畳まれ、第１の基板部と第２の基板部との間に
導電性を有する板金を設けたものである。本実施の形態によれば、折り畳んだ第１の基板
部と第２の基板部のパターン干渉を板金によって防ぐことができる。
本発明の第７の実施の形態は、第６の実施の形態による光ピックアップ装置において、
対物レンズアクチュエータを載置するピックアップ基台を有し、ピックアップ基台と板金
との間でシールド空間を形成し、シールド空間に位置する基板に、レーザー駆動部品を装
着するものである。本実施の形態によれば、ピックアップを別部材で覆わなくても、不要
輻射の発振源となるレーザー駆動部品をシールドすることができる。このとき、第１の基
板部と第２の基板部との間に設けた板金をグラウンド面として用いるため、広いグラウン
ド面を確保でき、放射効率を高めることができ、静電気に対する耐性も向上する。
本発明の第８の実施の形態は、第６の実施の形態による光ピックアップ装置において、
第１の基板部又は第２の基板部と折曲部を介して連接しているその他の基板部を有し、第
１の基板部にコネクタを装着し、第２の基板部にレーザー駆動部品を装着し、その他の基
板部にレーザーダイオードユニットを装着したものである。本実施の形態によれば、レー
ザー駆動部品をシールドしやすくなるとともに、部品中最も端子数が多いコネクタを実装
する第１の基板部をメインの基板面とし、第１の基板部又は第２の基板部と折曲部を介し
て連接しているその他の基板部にレーザーダイオードユニットを配置することで少ない折
り曲げで基板を構成することができる。
【実施例】
【０００８】
以下本発明の一実施例による光ピックアップ装置について説明する。
図１は本実施例による光ピックアップ装置の分解斜視図、図２は同光ピックアップ装置
の斜視図、図３は同光ピックアップ装置に用いられる基板の平面図、図４は同光ピックア
ップ装置に用いられる板金の平面図、図５は同光ピックアップ装置に用いられる基板上に
板金を配置した状態を示す平面図である。
【０００９】
まず、図１及び図２を用いて本実施例による光ピックアップ装置の全体構成について説
明する。
本実施例による光ピックアップ装置は、回転するメディアの面ぶれや偏心に追従させる
ための駆動機構を有する対物レンズアクチュエータ１０と、この対物レンズアクチュエー
タ１０を載置するピックアップ基台２０と、各種電子部品を装着した基板３０と、電子部
品や駆動部品から発生する熱を放熱する放熱部材４０とを備えている。
対物レンズアクチュエータ１０は、ピックアップ基台２０の一方の面に載置され、放熱
部材４０は、ピックアップ基台２０の他方の面に配置される。基板３０は、対物レンズア
クチュエータ１０とピックアップ基台２０との間の空間に配置される。基板３０は、第１
の折曲部３１Ａによって、第１の基板部３０Ａと第２の基板部３０Ｂとが対向するように
折り畳まれ、第１の基板部３０Ａと第２の基板部３０Ｂとの間には、導電性を有する板金
５０が配置される。
基板３０の一方の面には、コネクタ６１、レーザー駆動部品６２、ＣＤ用レーザーダイ
オードユニット６３、ＤＶＤ用レーザーダイオードユニット６４、その他多数の電子部品
が実装されている。なお、基板３０は、電気部品を実装した状態で第１の基板部３０Ａと
第２の基板部３０Ｂとの間に板金５０を挟んで折り畳み、その後、ＣＤ用レーザーダイオ
ードユニット６３、ＤＶＤ用レーザーダイオードユニット６４、アクチュエータ接続部、
及びフロントモニタ接続部を、それぞれ各１回折り曲げた状態でピックアップ基台２０に
装着する。
図２に示す記録型の光ピックアップ装置には、これら電気部品と、チップコンデンサや
ボリウム抵抗など２０個以上が搭載されている。基板３０は、これらの電気部品を接続す
る回路基板として機能する。
【００１０】
次に、図３を用いて本実施例による光ピックアップ装置に用いる基板の構成について説
明する。
基板３０は、コネクタ６１を実装する第１の基板部３０Ａと、レーザー駆動部品６２を
実装する第２の基板部３０Ｂと、アクチュエータ接続部３２を形成する第３の基板部３０
Ｃと、フロントモニタ接続部３３を形成する第４の基板部３０Ｄと、ＤＶＤ用レーザーダ
イオードユニット６４を実装する第５の基板部３０Ｅと、ＣＤ用レーザーダイオードユニ
ット６３を実装する第６の基板部３０Ｆとから構成されている。
第１の基板部３０Ａと第２の基板部３０Ｂとが連接し、第３の基板部３０Ｃ及び第４の
基板部３０Ｄは第１の基板部３０Ａに連接し、第５の基板部３０Ｅ及び第６の基板部３０
Ｆは第２の基板部３０Ｂに連接している。
第１の基板部３０Ａと第２の基板部３０Ｂとの間には第１の折曲部３１Ａが形成され、
第１の基板部３０Ａと第３の基板部３０Ｃとの間には第２の折曲部３１Ｃが形成され、第
１の基板部３０Ａと第４の基板部３０Ｄとの間には第３の折曲部３１Ｄが形成され、第２
の基板部３０Ｂと第５の基板部３０Ｅとの間には第４の折曲部３１Ｅが形成され、第２の
基板部３０Ｂと第６の基板部３０Ｆとの間には第５の折曲部３１Ｆが形成される。
図示はしないが、基板３０には、コネクタ６１とアクチュエータ接続部３２とを接続す
る導電パターン、コネクタ６１とフロントモニタ接続部３３とを接続する導電パターン、
コネクタ６１とレーザー駆動部品６２とを接続する導電パターン、コネクタ６１とＣＤ用
レーザーダイオードユニット６３とを接続する導電パターン、コネクタ６１とＤＶＤ用レ
ーザーダイオードユニット６４とを接続する導電パターン、及びその他の回路を構成する
導電パターンが形成されている。
第１の基板部３０Ａには貫通した孔３４Ａ、３４Ｂが形成され、第２の基板部３０Ｂに
は貫通した孔３４Ｃが形成されている。また、孔３４Ａに隣接して半田部３５Ａが、孔３
４Ｂに隣接して半田部３５Ｂが、孔３４Ｃに隣接して半田部３５Ｃがそれぞれ設けられて
いる。そして例えば半田部３５Ａは、導電パターン３６と電気的に接続されている。
【００１１】
次に、図４及び図５を用いて本実施例による光ピックアップ装置に用いる板金の構成に
ついて説明する。
板金５０には、複数の立ち壁部５１Ａ、５１Ｂ、５１Ｃを有している。立ち壁部５１Ａ
、５１Ｂは、板金５０の一方の面側に立ち上げられており、立ち壁部５１Ｃは、板金５０
の他方の面側に立ち上げられている。そして、立ち壁部５１Ａ、５１Ｂは、それぞれ第１
の基板部３０Ａに有する孔３４Ａ、３４Ｂに挿入可能な位置に配置されている。また、立
ち壁部５１Ｃは、第２の基板部３０Ｂに有する孔３４Ｃに挿入可能な位置に配置されてい
る。
また、板金５０の外形形状は、突出部５２Ａ、５２Ｂを除いて、第１の基板部３０Ａ及
び第２の基板部３０Ｂの外形形状に合わせて形成されている。また、板金５０には、複数
の開口５３Ａ、５３Ｂが形成されている。
【００１２】
次に、図６を用いて本実施例に用いる基板と板金の構成について説明する。図６は、本
実施例に用いる基板と板金の構成を示す要部断面図である。
基板３０として、回路を形成する銅箔３Ａと、銅箔３Ａを絶縁するベースフィルム３Ｂ
と、カバーレイフィルム３Ｃからなる単層ＦＰＣを用いる。単層ＦＰＣは、銅箔３Ａが１
層のみで構成されている。カバーレイフィルム３Ｂは、銅箔３Ａによって形成される導電
パターンの一方の面を覆い、ベースフィルム３Ｃは、導電パターンの他方の面を覆ってい
る。カバーレイフィルム３Ｂには、開口が設けられ、この開口にＩＣ、レーザー、チップ
部品が実装される。
図示のように、基板３０を折り畳み、その間に導電性の板金５０を挟む。さらに、板金
５０には複数の箇所に立ち壁部５１が設けられ、基板３０を折り畳んだ際に、立ち壁部５
１が基板３０を貫通するように、基板３０に孔３４を開けておく。基板３０の孔３４の近
くをグラウンド３６として半田部３５を設けておけば、基板３０の任意のグラウンド箇所
を板金５０と半田５で接続することにより、立ち壁部５１はスルーホールの役割を持ち、
挟まれた板金５０は広大なグラウンドとなる。従って、折り畳んだ基板３０の表と裏の遠
いグラウンドを接続させることも自在となる。また、板金５０の広大なグラウンドの存在
によって、グラウンドのインピーダンスを下げ、ノイズ対策や不要輻射対策を有効に行う
ことができるとともに、グラウンド容量不足を解消することができる。また、折り畳んだ
基板３０の表と裏のパターン干渉も防ぐことができる。なお、板金３０が配置されるエリ
アの基板３０は、曲げる箇所を設けないことで、板金３０はフレキシブルな材料とする必
要はないが、板金３０をフレキシブルな材料とすることで、板金３０が配置されるエリア
の基板３０を立体的に構成することもできる。
【００１３】
次に、図７を用いて本実施例による光ピックアップ装置の要部構成について説明する。
図７は、本実施例に用いる光ピックアップ装置の要部構成図である。
二つに折り畳まれた基板３０は、対物レンズアクチュエータ１０とピックアップ基台２
０との間に配置される。このとき、板金５０とピックアップ基台２０との間に、シールド
空間７を形成する。このシールド空間７は、板金５０とピックアップ基台２０に挟まれた
完全にシールドされた空間であることが好ましい。そして、このシールド空間７に、不要
輻射の発振源となるレーザー駆動部品６２を配置する。このように板金５０とピックアッ
プ基台２０とでシールド空間７を形成することで、ピックアップ装置を別部材によって覆
わなくてもレーザー駆動部品６２のシールド効果を得ることができる。
特に、本実施例のように、レーザー駆動部品６２が電気的に外部に露出し、ピックアッ
プ装置を板金等の別部材で覆うスペース的余地も無い場合に適している。また、基板３０
として多層ＦＰＣを用いた場合には、２層目をシールドを兼ねたグラウンドで覆うことが
可能であるが、基板３０として単層ＦＰＣを用いた場合にはこの方法が採用できないため
に本実施例の構成が有効である。
【００１４】
次に、図８を用いて本実施例に用いる部品の構成について説明する。図８は、本実施例
に用いる部品の接続状態を示すブロック図である。
ＣＤ用レーザーダイオードユニット６３、ＤＶＤ用レーザーダイオードユニット６４は
、メディアに照射するレーザーと、メディアからの戻り光を受光して電気信号に変換する
ディテクタ部が一体となったユニットであり、コネクタ６１から電源供給を受け、コネク
タ６１にディテクタ信号を送信する。また、レーザー駆動部品６２は、ドライブからレー
ザー発光パターンの信号を受け、レーザーを発光させるための駆動電流をＣＤ用レーザー
ダイオードユニット６３とＤＶＤ用レーザーダイオードユニット６４に供給する。対物レ
ンズアクチュエータ１０は、ピックアップ上の対物レンズを、回転するメディアの面ぶれ
や偏心に追従させるための駆動機構であり、コイルとマグネットにより構成され、コネク
タ６１から駆動電流の供給が行われる。フロントモニタ１１は、メディアに照射するレー
ザー光量を制御するため、コンパクトディスクおよびＤＶＤのレーザー光量をモニターす
るためのフォトディテクタＩＣであり、コネクタ６１から電源供給を受け、コネクタ６１
にディテクタ信号を送信する。コネクタ６１は、ドライブ基板と電気的に接続され、ピッ
クアップへの電源・信号供給も行うとともに、メディアから読みとられた電気信号をドラ
イブに伝達する。これら電源供給や信号供給は、基板３０に設けられた導電パターンによ
って形成されている。
【００１５】
以上のように本実施例によれば、基板３０は、第１の基板部３０Ａと第２の基板部３０
Ｂとが対向するように折り畳まれ、第１の基板部３０Ａと第２の基板部３０Ｂとの間に導
電性を有する板金５０を設けることで、折り畳んだ第１の基板部３０Ａと第２の基板部３
０Ｂのパターン干渉を板金３０によって防ぐことができる。また、第１の基板部３０Ａの
銅箔３Ａと板金５０がベースフィルム３Ｃを介し、第２の基板部３０Ｂの銅箔３Ａと板金
５０がベースフィルム３Ｃを介し、それぞれ静電結合をなして銅箔３Ａ上の高周波ノイズ
を板金５０に逃がすことができる。このように、銅箔３Ａ（導体）とベースフィルム（誘
電体）３Ｃと板金５０（導体）とでコンデンサを形成する。コンデンサは交流成分（ここ
での高周波ノイズ）を通し、直流成分は通さず、更に、導体間の誘電体の厚さ（ここでは
ベースフィルム３Ｃ）が薄い程、高い周波数の交流分を通しやすく、高周波成分のグラウ
ンドに対するインピーダンスを下げることになる。従って、ピックアップ装置における高
周波ノイズの問題を解決することができる。
また本実施例によれば、基板３０の孔３４に板金５０の立ち壁部５１を貫通させ、貫通
させた立ち壁部５１を基板３０の導電パターン３６に電気的に接続したことで、立ち壁部
５１をスルーホールとし、板金３０を一つの導電パターンとして利用できる。また、例え
ば第１の基板部３０Ａの孔３４Ａに貫通させた立ち壁部５１Ａと第２の基板部３０Ｂの孔
３４Ｃに貫通させた立ち壁部５１Ｃとを板金３０を導電パターンとして電気的に接続する
ことで、平面的には遠距離にある箇所を同一導電パターンに接続することができる。
また本実施例によれば、板金３０をグラウンドとして利用することで、広大なグラウン
ドを形成することができ、グラウンドのインピーダンスを下げ、ノイズ対策や不要輻射対
策を有効に行うことができるとともに、グラウンド容量不足を解消でき、更にグラウンド
への接続も容易に行うことができる。
また本実施例によれば、価格の安い単層のＦＰＣを、実質的に三層ＦＰＣとして利用す
ることができる。
また本実施例によれば、ピックアップ基台２０と板金３０との間でシールド空間７を形
成し、シールド空間７に位置する基板３０に、レーザー駆動部品６２を装着することで、
不要輻射の発振源となるレーザー駆動部品６２をシールドすることができる。
また本実施例によれば、第１の基板部３０Ａにコネクタ６１を装着し、第２の基板部３
０Ｂにレーザー駆動部品６２を装着し、その他の基板部３０Ｅ、３０ＦにＣＤ用レーザー
ダイオードユニット６３、ＤＶＤ用レーザーダイオードユニット６４を装着することで、
部品中最も端子数が多いコネクタ６１を実装する第１の基板部３０Ａをメインの基板面と
し、第２の基板部３０Ｂと折曲部を介して連接している基板部３０Ｅ、３０ＦにＣＤ用レ
ーザーダイオードユニット６３、ＤＶＤ用レーザーダイオードユニット６４を配置するこ
とで少ない折り曲げで基板を構成することができる。
なお、本実施例では、単層ＦＰＣを用いて説明したが、銅箔を２層以上有し、スルーホ
ールによって層間を任意に接続できる多層ＦＰＣに適用してもよい。
【産業上の利用可能性】
【００１６】
本発明の光ピックアップ装置は、いわゆるノート型パソコン本体に内蔵されるディスク
装置に有用である。また、フレキシブルプリント回路基板は、光ピックアップ装置をはじ
めとして、多数の部品を実装し、限られたスペースに配置される回路基板に適している。
【図面の簡単な説明】
【００１７】
【図１】本発明の一実施例による光ピックアップ装置の分解斜視図
【図２】同光ピックアップ装置の斜視図
【図３】同光ピックアップ装置に用いられる基板の平面図
【図４】同光ピックアップ装置に用いられる板金の平面図
【図５】同光ピックアップ装置に用いられる基板上に板金を配置した状態を示す平面図
【図６】本実施例に用いる基板と板金の構成を示す要部断面図
【図７】本実施例に用いる光ピックアップ装置の要部構成図
【図８】本実施例に用いる部品の接続状態を示すブロック図
【符号の説明】
【００１８】
１０    対物レンズアクチュエータ
２０    ピックアップ基台
３０    基板
３０Ａ  第１の基板
３０Ｂ  第２の基板
５０    板金
６１    コネクタ
６２    レーザー駆動部品
６３    ＣＤ用レーザーダイオードユニット
６４    ＤＶＤ用レーザーダイオードユニット
【図１】
2005277169.tif 000003
【図２】
2005277169.tif 000004
【図３】
2005277169.tif 000005
【図４】
2005277169.tif 000006
【図５】
2005277169.tif 000007
【図６】
2005277169.tif 000008
【図７】
2005277169.tif 000009
【図８】
2005277169.tif 000010